(57)【要約】【解決課題】適切な潤滑性を保持しつつ、低温始動性に優れ且つ低温貯蔵安定性に優れ、ヘイズの発生が無い農業機械用潤滑油組成物を提供すること。【解決手段】１００℃での動粘度が１０〜１３ｍｍ２／ｓ、粘度指数が９０以上、流動点が−３０℃以下である潤滑油基油（Ａ）と、１００℃での動粘度が５〜９ｍｍ２／ｓ、粘度指数が１２０以上、流動点が−１０℃以下である潤滑油基油（Ｂ）と、１００℃での動粘度が２〜４ｍｍ２／ｓ、粘度指数が９０以上、流動点が−３５℃以下である潤滑油基油（Ｃ）と、を含有し、農業機械用潤滑油組成物中の基油分の全量を１００体積％としたときに、該基油分全量に対する該潤滑油基油（Ａ）の体積割合が３０体積％以上であり、且つ、該潤滑油基油（Ｂ）の体積割合及び該潤滑油基油（Ｃ）の体積割合の合計が３０体積％以上であり、  該基油分の１００℃での動粘度が５．０〜８．５ｍｍ２／ｓであること、を特徴とする農業機械用潤滑油組成物。【選択図】なし【特許請求の範囲】
【請求項１】
１００℃での動粘度が１０〜１３ｍｍ２／ｓ、粘度指数が９０以上、流動点が−３０℃以下である潤滑油基油（Ａ）と、
１００℃での動粘度が５〜９ｍｍ２／ｓ、粘度指数が１２０以上、流動点が−１０℃以下である潤滑油基油（Ｂ）と、
１００℃での動粘度が２〜４ｍｍ２／ｓ、粘度指数が９０以上、流動点が−３５℃以下である潤滑油基油（Ｃ）と、
を含有し、
農業機械用潤滑油組成物中の基油分の全量を１００体積％としたときに、該基油分全量に対する該潤滑油基油（Ａ）の体積割合が３０体積％以上であり、且つ、該潤滑油基油（Ｂ）の体積割合及び該潤滑油基油（Ｃ）の体積割合の合計が３０体積％以上であり、
該基油分の１００℃での動粘度が５．０〜８．５ｍｍ２／ｓであること、
を特徴とする農業機械用潤滑油組成物。
【請求項２】
ポリメタクリレート系添加剤を含有することを特徴とする請求項１記載の農業機械用潤滑油組成物。
【請求項３】
前記ポリメタアクリレート系添加剤の重量平均分子量が１０万〜５０万であり、該ポリメタアクリレート系添加剤の含有量が、農業機械用潤滑油組成物の全量基準で、１．０〜５．０質量％であることを特徴とする請求項２記載の農業機械用潤滑油組成物。
【請求項４】
１００℃での動粘度が９．３ｍｍ２／ｓ以上であり、且つ、−２５℃におけるＣＣＳ粘度が７，０００ｍＰａ・ｓ以下であることを特徴とする請求項１〜３いずれか１項記載の農業機械用潤滑油組成物。
【発明の詳細な説明】
【技術分野】
【０００１】
本発明は、潤滑油組成物に関し、詳しくはトラクター等の農業機械用潤滑油組成物に関する。
【背景技術】
【０００２】
農業機械は、整地用作業機としてのトラクター、育成管理用作業機としての田植え機、収穫用作業機としてのバインダー、コンバインなどがある。これらの中で最も幅広く用いられているのがトラクターである。トラクターには油圧ポンプ部、変速装置部、ＰＴＯクラッチ部、差動歯車装置部、湿式ブレーキ部など多くの潤滑箇所があり、これらを１つの農業機械用潤滑油で潤滑しているタイプが多い。このため農業機械用潤滑油には摩擦特性、耐摩耗性、酸化安定性、さび止め性、有機材料適合性など多機能の役割が要求される。
【０００３】
また、農業機械は冬季の寒冷地においても使用されるため、農業機械に用いられる潤滑油は、粘度指数を高くすることにより、低温下の粘性抵抗を軽減し、低温始動性を向上させている（例えば、特許文献１〜４等参照）。
【先行技術文献】
【特許文献】
【０００４】
【特許文献１】国際公開第２００７／００１０００号
【特許文献２】特開２００８−３０８６９７号公報
【特許文献３】特開２００６−２７４２０９号公報
【特許文献４】特開２０１５−１７２１６５号公報
【発明の開示】
【発明が解決しようとする課題】
【０００５】
しかしながら、粘度指数を高くし低温始動性を向上させた潤滑油の中でも、低温で長期保存した際、ヘイズと呼ばれる靄状の物質が析出、沈殿することがあり、農業機械に備わっているフィルターの通過性を悪化させ、各潤滑箇所における潤滑不良や油圧作動不良となる恐れがある。
【０００６】
従って、本発明の目的は、適切な潤滑性を保持しつつ、低温始動性に優れ且つ低温貯蔵安定性に優れ、ヘイズの発生が無い農業機械用潤滑油組成物を提供することにある。
【課題を解決するための手段】
【０００７】
本発明者らは、上記課題に鑑み鋭意検討した結果、特定の潤滑油基油を特定の割合で配合することで上記課題を解決できることを見出し、この知見にもとづいて本発明を完成するに至った。
【０００８】
すなわち、本発明（１）は、１００℃での動粘度が１０〜１３ｍｍ２／ｓ、粘度指数が９０以上、流動点が−３０℃以下である潤滑油基油（Ａ）と、
１００℃での動粘度が５〜９ｍｍ２／ｓ、粘度指数が１２０以上、流動点が−１０℃以下である潤滑油基油（Ｂ）と、
１００℃での動粘度が２〜４ｍｍ２／ｓ、粘度指数が９０以上、流動点が−３５℃以下である潤滑油基油（Ｃ）と、
を含有し、
農業機械用潤滑油組成物中の基油分の全量を１００体積％としたときに、該基油分全量に対する該潤滑油基油（Ａ）の体積割合が３０体積％以上であり、且つ、該潤滑油基油（Ｂ）の体積割合及び該潤滑油基油（Ｃ）の体積割合の合計が３０体積％以上であり、
該基油分の１００℃での動粘度が５．０〜８．５ｍｍ２／ｓであること、
を特徴とする農業機械用潤滑油組成物を提供するものである。
【発明の効果】
【０００９】
本発明の農業機械用潤滑油組成物によれば、適切な潤滑性を保持しつつ、低温始動性に優れ且つ低温貯蔵安定性に優れ、ヘイズの発生が無い農業機械用潤滑油組成物を提供することができる。
【発明を実施するための形態】
【００１０】
本発明の農業機械用潤滑油組成物は、１００℃での動粘度が１０〜１３ｍｍ２／ｓ、粘度指数が９０以上、流動点が−３０℃以下である潤滑油基油（Ａ）と、
１００℃での動粘度が５〜９ｍｍ２／ｓ、粘度指数が１２０以上、流動点が−１０℃以下である潤滑油基油（Ｂ）と、
１００℃での動粘度が２〜４ｍｍ２／ｓ、粘度指数が９０以上、流動点が−３５℃以下である潤滑油基油（Ｃ）と、
を含有し、
農業機械用潤滑油組成物中の基油分の全量を１００体積％としたときに、該基油分全量に対する該潤滑油基油（Ａ）の体積割合が３０体積％以上であり、且つ、該潤滑油基油（Ｂ）の体積割合及び該潤滑油基油（Ｃ）の体積割合の合計が３０体積％以上であり、
該基油分の１００℃での動粘度が５．０〜８．５ｍｍ２／ｓであること、
を特徴とする農業機械用潤滑油組成物である。
【００１１】
本発明の農業機械用潤滑油組成物は、農業機械用潤滑油組成物中の基油分として、潤滑油基油（Ａ）、（Ｂ）及び（Ｃ）を含有する。潤滑油基油（Ａ）、（Ｂ）及び（Ｃ）としては、鉱油系潤滑油基油、合成系潤滑油基油、又はこれらの混合物が挙げられる。
【００１２】
鉱油系潤滑油基油としては、様々な製造法により得られたものが挙げられるが、例えば、水素化精製油、触媒異性化油などに溶剤脱蝋又は水素化脱蝋などの処理を施した、高度に精製されたパラフィン系鉱油等が好ましい。また、上記以外にも様々な製造法により得られる鉱油系潤滑油基油、例えば、潤滑油基油原料をフェノール、フルフラールなどの芳香族抽出溶剤を用いた溶剤精製により得られるラフィネート、シリカ−アルミナを担体とするコバルト、モリブデンなどの水素化処理触媒を用いた水素化処理により得られる水素化処理油などが挙げられる。特に、鉱油系潤滑油基油としては、水素化分解工程や異性化工程によって得られる高粘度指数鉱油が好適なものとして挙げられる。
【００１３】
合成系潤滑油基油としては、例えば、メタン等のガスを原料としてフィッシャー・トロプシュ反応により合成される基油、ポリ−α−オレフィンオリゴマー、ポリブテン、アルキルベンゼン、ポリオールエステル、ポリグリコールエステル、ポリエチレンプロピレン類、ヒンダードエステル類、二塩基酸エステルなどが挙げられる。また、少量であれば、リン酸エステル、シリコーン油も、合成系潤滑油基油として用いられる。
【００１４】
そして、潤滑油基油（Ａ）は、１００℃での動粘度が１０〜１３ｍｍ２／ｓ、粘度指数が９０以上、流動点が−３０℃以下である潤滑油基油であり、潤滑油基油（Ｂ）は、１００℃での動粘度が５〜９ｍｍ２／ｓ、粘度指数が１２０以上、流動点が−１０℃以下である潤滑油基油であり、潤滑油基油（Ｃ）は、１００℃での動粘度が２〜４ｍｍ２／ｓ、粘度指数が９０以上、流動点が−３５℃以下である潤滑油基油であり、本発明の農業機械用潤滑油基油は、その基油分を構成する潤滑油基油として、潤滑油基油（Ａ）、（Ｂ）及び（Ｃ）を含有する。
【００１５】
潤滑油基油（Ａ）の１００℃での動粘度は、１０〜１３ｍｍ２／ｓ、好ましくは１０．５〜１２．５ｍｍ２／ｓ、より好ましくは１１〜１２ｍｍ２／ｓである。潤滑油基油（Ａ）の粘度指数は、９０以上、好ましくは９５〜１２０、より好ましくは１００〜１１５である。潤滑油基油（Ａ）の１００℃動粘度及び粘度指数が上記範囲にあることにより、低温始動性に優れた農業機械用潤滑油組成物となる。また、潤滑油基油（Ａ）の流動点は、−３０℃以下、好ましくは−５０〜−３０℃、より好ましくは−４５〜−３５℃である。潤滑油基油（Ａ）の流動点が上記範囲にあることにより、農業機械用潤滑油組成物の低温特性と製造コストのバランスが優れる。本発明の農業機械用潤滑油組成物は、基油分として、上記物性を有する潤滑油基油（Ａ）を１種含有してもよいし、上記物性を有する潤滑油基油（Ａ）を２種以上含有してもよい。
【００１６】
潤滑油基油（Ｂ）の１００℃での動粘度は、５〜９ｍｍ２／ｓ、好ましくは５．５〜８．５ｍｍ２／ｓ、より好ましくは６〜８ｍｍ２／ｓである。また、潤滑油基油（Ｂ）の粘度指数は、１２０以上、好ましくは１２３〜１５０、より好ましくは１２５〜１４０である。潤滑油基油（Ｂ）の１００℃動粘度及び粘度指数が上記範囲にあることにより、低温始動性に優れた農業機械用潤滑油組成物となる。また、潤滑油基油（Ｂ）の流動点は、−１０℃以下、好ましくは−４０〜−１０℃、より好ましくは−３０〜−１０℃である。潤滑油基油（Ｂ）の流動点が上記範囲にあることにより、農業機械用潤滑油組成物の低温特性と製造コストのバランスが優れる。本発明の農業機械用潤滑油組成物は、基油分として、上記物性を有する潤滑油基油（Ｂ）を１種含有してもよいし、上記物性を有する潤滑油基油（Ｂ）を２種以上含有してもよい。
【００１７】
潤滑油基油（Ｃ）の１００℃での動粘度は、２〜４ｍｍ２／ｓ、好ましくは２．３〜３．７ｍｍ２／ｓ、より好ましくは２．６〜３．４ｍｍ２／ｓである。また、潤滑油基油（Ｃ）の粘度指数は、９０以上、好ましくは９０〜１２０、より好ましくは９０〜１１０である。潤滑油基油（Ｃ）の１００℃動粘度及び粘度指数が上記範囲にあることにより、低温始動性に優れた農業機械用潤滑油組成物となる。また、潤滑油基油（Ｃ）の流動点は、−３５℃以下、好ましくは−５０〜−３５℃、より好ましくは−４５〜−３５℃である。潤滑油基油（Ｃ）の流動点が上記範囲にあることにより、農業機械用潤滑油組成物の低温特性と製造コストのバランスが優れる。本発明の農業機械用潤滑油組成物は、基油分として、上記物性を有する潤滑油基油（Ｃ）を１種含有してもよいし、上記物性を有する潤滑油基油（Ｃ）を２種以上含有してもよい。
【００１８】
本発明の農業機械用潤滑油組成物において、農業機械用潤滑油組成物中の基油分の全量を１００体積％としたときに、基油分中に占める潤滑油基油（Ａ）の体積割合、すなわち、基油分全量に対する潤滑油基油（Ａ）の体積割合は、３０体積％以上、好ましくは３０〜７０体積％、より好ましくは４０〜６８体積％、最も好ましくは５０〜６５体積％である。
【００１９】
また、本発明の農業機械用潤滑油組成物において、農業機械用潤滑油組成物中の基油分の全量を１００体積％としたときに、基油分中に占める潤滑油基油（Ｂ）及び潤滑油基油（Ｃ）の合計の体積割合、すなわち、基油分全量に対する潤滑油基油（Ｂ）の体積割合及び潤滑油基油（Ｃ）の体積割合の合計は、３０体積％以上、好ましくは３０〜７０体積％、より好ましくは３２〜６０体積％、最も好ましくは３５〜５０体積％である。
【００２０】
そして、本発明の農業機械用潤滑油組成物は、上記１００℃動粘度、粘度指数及び流動点を有する潤滑油基油（Ａ）、（Ｂ）及び（Ｃ）を含有し、農業機械用潤滑油組成物中の基油分全量を１００体積％としたときに、基油分中に占める潤滑油基油（Ａ）の体積割合を上記範囲、且つ、基油分中に占める潤滑油基油（Ｂ）及び潤滑油基油（Ｃ）の合計の体積割合を上記範囲とすることにより、潤滑性を保持しながら低温始動性に優れ、且つ、低温貯蔵安定性に優れ、ヘイズの発生が無い農業機械用潤滑油組成物となる。
【００２１】
なお、本発明の農業機械用潤滑油組成物の基油分が、上記物性を有する潤滑油基油（Ａ）を２種以上混合して構成されたものである場合、上記基油分中に占める潤滑油基油（Ａ）の体積割合は、農業機械用潤滑油組成物中の基油分の全量を１００体積％としたときに、基油分中に占めるそれら２種以上の潤滑油基油（Ａ）の合計の体積割合を指す。また、本発明の農業機械用潤滑油組成物の基油分が、上記物性を有する潤滑油基油（Ｂ）を２種以上混合して構成されたものである場合、上記基油分中に占める潤滑油基油（Ｂ）の体積割合は、農業機械用潤滑油組成物中の基油分の全量を１００体積％としたときに、基油分中に占めるそれら２種以上の潤滑油基油（Ｂ）の合計の体積割合を指す。また、本発明の農業機械用潤滑油組成物の基油分が、上記物性を有する潤滑油基油（Ｃ）を２種以上混合して構成されたものである場合、上記基油分中に占める潤滑油基油（Ｃ）の体積割合は、農業機械用潤滑油組成物中の基油分の全量を１００体積％としたときに、基油分中に占めるそれら２種以上の潤滑油基油（Ｃ）の合計の体積割合を指す。
【００２２】
本発明の農業機械用潤滑油組成物は、潤滑油基油（Ａ）、（Ｂ）及び（Ｃ）以外の潤滑油基油として、鉱油系潤滑油基油、合成系潤滑油基油、又はこれらの混合物であって、１００℃動粘度、粘度指数及び流動点において、上記潤滑油基油（Ａ）、（Ｂ）及び（Ｃ）のいずれにも該当しない潤滑油基油を、本発明の効果を損なわない範囲で含有することができる。本発明の農業機械用潤滑油組成物が、潤滑油基油（Ａ）、（Ｂ）及び（Ｃ）以外の潤滑油基油を含有する場合、農業機械用潤滑油組成物中の基油分の全量を１００体積％としたときに、基油分中に占める潤滑油基油（Ａ）、（Ｂ）及び（Ｃ）以外の潤滑油基油の体積割合、すなわち、基油分全量に対する潤滑油基油（Ａ）、（Ｂ）及び（Ｃ）以外の潤滑油基油の体積割合は、４０体積％以下、好ましくは０〜２０体積％、より好ましくは０〜５体積％である。
【００２３】
本発明の農業機械用潤滑油組成物中の基油分の１００℃動粘度（基油分を構成する全潤滑油基油の混合粘度）は、５．０〜８．５ｍｍ２／ｓ、好ましくは５．５〜８．３ｍｍ２／ｓ、より好ましくは６．０〜８．０ｍｍ２／ｓ、最も好ましくは６．５〜７．８ｍｍ２／ｓである。本発明の農業機械用潤滑油組成物中の基油分の１００℃動粘度が上記範囲内にあることにより、潤滑性を保持しながら低温始動性に優れる農業機械用潤滑油組成物となる。
【００２４】
本発明の農業機械用潤滑油組成物は、ポリメタアクリレート系添加剤を含有することができる。ポリメタアクリレート系添加剤の重量平均分子量は１０万〜５０万、好ましくは１０万〜３０万、より好ましくは１０万〜２５万である。ポリメタアクリレート系添加剤の重量平均分子量が上記範囲内にあることにより、低温始動性及びせん断安定性に優れる農業機械用潤滑油組成物となる。
【００２５】
本発明の農業機械用潤滑油組成物中のポリメタアクリレート系添加剤の含有量は、農業機械用潤滑油組成物全量に対し、１．０〜５．０質量％、好ましくは１．０〜４．５質量％、より好ましくは１．０〜４．０質量％である。農業機械用潤滑油組成物中のポリメタアクリレート系添加剤の含有量が上記範囲内にあることにより、せん断安定性に優れる農業機械用潤滑油組成物となる。なお、ポリメタアクリレート系添加剤には、潤滑油基油等の希釈剤に溶解された状態で市販されているものもあるが、ポリメタアクリレート系添加剤が希釈剤に溶解されている場合には、上記ポリメタアクリレート系添加剤の含有量は、希釈剤を除いた、ポリマー分の含有量を指す。
【００２６】
本発明の農業機械用潤滑油組成物は、必要に応じて、公知の添加剤、例えば、摩擦調整剤、油性剤、ＺｎＤＴＰ以外の摩耗防止剤、極圧剤、さび止め剤、酸化防止剤、金属不活性化剤、流動点降下剤、消泡剤、着色剤、トラクター作動油用パッケージ添加剤、あるいはこれらのうち少なくとも１種を含有する各種潤滑油用パッケージ添加剤などを含有することができる。
【００２７】
摩擦調整剤としては、有機モリブテン化合物、多価アルコール部分エステル系、アミン系、アミド系、エーテル系、硫化エステル、リン酸エステル、酸性リン酸エステルやそのアミン塩、ジオール類などが挙げられる。また、油性剤としては、オレイン酸、ステアリン酸、高級アルコール、アミン、エステル、硫化油脂、酸性リン酸エステル、酸性亜リン酸エステルなどが挙げられる。また、無灰型分散剤としてはポリアルケニルコハク酸イミド、ホウ素系イミドなどが挙げられる。また、摩耗防止剤としては、硫黄化合物、リン酸エステル、亜リン酸エステル、酸性リン酸エステルやそのアミン塩などが挙げられる。また、極圧剤としては、炭化水素硫化物、硫化油脂、リン酸エステル、亜リン酸エステル、塩素化パラフィン、塩素化ジフェニルなどが挙げられる。また、さび止め剤としては、カルボン酸やそのアミン塩、エステル、スルホン酸塩、ホウ素化合物などが挙げられる。また、酸化防止剤としては、アミン系、フェノール系、硫黄系の酸化防止剤などが挙げられる。また、金属不活性化剤としては、ベンゾトリアゾール、チアジアゾール、アルケニルコハク酸エステルなどが挙げられる。また、流動点降下剤としては、ポリアルキルメタクリレート系、塩素化パラフィン−ナフタレン縮合物、アルキル化ポリスチレンなどが挙げられる。また、消泡剤としては、ジメチルポリシロキサンなどのシリコーン化合物、フルオロシリコン化合物、エステル系などが挙げられる。
【００２８】
本発明の農業機械用潤滑油組成物の１００℃での動粘度が９．３ｍｍ２／ｓ以上であり、且つ、本発明の農業機械用潤滑油組成物の−２５℃でのＣＣＳ粘度が７，０００ｍＰａ・ｓ以下であることが好ましい。本発明の農業機械用潤滑油組成物の１００℃での動粘度が９．３ｍｍ２／ｓ以上であり、且つ、本発明の農業機械用潤滑油組成物の−２５℃でのＣＣＳ粘度が７，０００ｍＰａ・ｓ以下であることにより、潤滑性を保持し且つ低温始動性にも優れるという効果が高まる。
【００２９】
本発明の農業機械用潤滑油組成物の調製方法としては、特に制限されず、所定量の潤滑油基油（Ａ）、（Ｂ）及び（Ｃ）、更に必要に応じて、潤滑油基油（Ａ）、（Ｂ）及び（Ｃ）以外の潤滑油基油、各種添加剤を適宜混合して、本発明の農業機械用潤滑油組成物を調製すればよい。それらの混合順序は特に制限されるものではなく、潤滑油基油（Ａ）、（Ｂ）及び（Ｃ）、更に必要に応じて、潤滑油基油（Ａ）、（Ｂ）及び（Ｃ）以外の潤滑油基油、各種添加剤を順次混合してもよいし、あるいは、各種添加剤に、潤滑油基油（Ａ）、（Ｂ）及び（Ｃ）、更に必要に応じて、潤滑油基油（Ａ）、（Ｂ）及び（Ｃ）以外の潤滑油基油を順次混合してもよいし、あるいは、予め各種添加剤を潤滑油基油（Ａ）、（Ｂ）及び（Ｃ）のいずれかに予め添加しておいて、潤滑油基油（Ａ）、（Ｂ）及び（Ｃ）、更に必要に応じて、潤滑油基油（Ａ）、（Ｂ）及び（Ｃ）以外の潤滑油基油、各種添加剤を混合してもよい。
【００３０】
本発明の農業機械用潤滑油組成物は、農業機械として、整地用作業機のトラクター、育成管理用作業機の田植え機、収穫用作業機のバインダー、コンバインなどの潤滑油として用いられ、特に、トラクターの潤滑油として好適に用いられる。本発明の農業機械用潤滑油組成物は、農業機械の油圧ポンプ部、変速装置部、ＰＴＯクラッチ部、差動歯車装置部、湿式ブレーキ部などの共用潤滑油として用いられる。
【００３１】
次に、実施例を挙げて本発明を具体的に説明するが、これは単に例示であって、本発明を制限するものではない。
【実施例】
【００３２】
（実施例１〜４、比較例１〜１２）
表２〜表４に示す配合量で、潤滑油基油と各添加剤を配合して、農業機械用潤滑油基油を調製し、それぞれの性能を評価した。その結果を表２〜表４に示す。なお、実施例及び比較例において用いた潤滑油基油を表１に示す。
【００３３】
【表１】
2017197608.tif 000002
【００３４】
また、添加剤の成分は次の通りである。
（トラクター作動油パッケージ）
トラクター作動油パッケージ中の元素は、Ｃａ：６．１質量％、Ｚｎ：２．５質量％、Ｐ：１．５質量％、Ｂ：０．２質量％、Ｎ：０．１質量％である。トラクター作動油パッケージ中には、カルシウム系清浄剤、コハク酸イミド、ジアルキルジチオリン酸亜鉛、フェノール系酸化防止剤、消泡剤などの各種添加剤が含まれている。
（粘度指数向上剤）
重量平均分子量が２０万のポリアルキルメタクリレート。
（その他添加剤）
流動点降下剤、シリコーン系消泡剤を含む。
【００３５】
＜性能評価方法＞
評価試験法は次のとおりである。
（粘度温度特性）
ＪＩＳ  Ｋ  ２２８３に準拠し、４０℃及び１００℃での動粘度を測定し、粘度指数を算出した。
（低温粘度特性）
ＡＳＴＭ  Ｄ５２９３に準拠し、−２５℃でのＣＣＳ粘度を測定した。
（低温貯蔵安定性）
温度を−５℃に設定した恒温槽内に２０日間静置し、ヘイズの発生有無を目視判定した。
【００３６】
【表２】
2017197608.tif 000003
【００３７】
【表３】
2017197608.tif 000004
【００３８】
【表４】
2017197608.tif 000005
【００３９】
低温粘度特性について、実施例１〜４は、潤滑油基油（Ａ）を３０体積％以上含有し、且つ、潤滑油基油（Ｂ）及び（Ｃ）を合計で３０体積％以上含有することにより、いずれも１００℃での動粘度が９．３ｍｍ２／ｓ以上でありながら−２５℃でのＣＣＳ粘度が７，０００ｍＰａ・ｓ以下であり、潤滑性を保持しながら低温始動性に優れていることが分かる。
一方、比較例１〜８は、潤滑油基油（Ａ）を３０体積％以上含有していない、又は潤滑油基油（Ｂ）及び（Ｃ）を合計で体積３０％以上を含有していないため、−２５℃でのＣＣＳ粘度が高い値を示しており、いずれも低温始動性に劣っていることが分かる。
【００４０】
また、低温貯蔵安定性については、実施例１は、潤滑油基油（Ａ）を３０体積％以上含有し、且つ、潤滑油基油（Ｂ）及び（Ｃ）を合計で３０体積％以上含有することにより、低温での長期保存におけるヘイズの発生が確認されず、良好な低温貯蔵安定性を示していることが分かる。
一方、比較例９〜１２は、潤滑油基油（Ｂ）及び（Ｃ）を合計で３０体積％以上含有し、且つ、粘度指数が実施例１に比べ高くなっているものの、潤滑油基油（Ａ）を３０体積％以上含有していないため、低温での長期保存においてヘイズの発生が見られ、低温貯蔵安定性に劣っていることが分かる。